(57)【要約】【目的】表示パネルを着脱可能で、これを車内に残して車から離れても盗難されず、更にその表示パネルを後部座席用のテレビモニタなどとして利用できるようにする。【構成】表示パネル１を収容可能な筺体３と、この内部に移動可能に設けられる走行ユニット４とを備える。走行ユニット４には往復移動するための走行機構７０と、筺体から排出された表示パネルの開放旋回動作を行うパネル旋回機構８０とが設けられる。又、走行ユニット４に表示パネル１を着脱可能にして連結するパネル連結部６が設けられる。パネル連結部６は表示パネル１を旋回させるべくパネル旋回機構８０により回動される。パネル連結部６には施錠具６４が設けられ、その施錠具はパネル旋回機構８０によりパネル連結部６からの表示パネル１の離脱を許容するリリース位置と、パネル連結部６からの表示パネル１の離脱を阻止するロック位置とに切り替えられる。【選択図】図１
2005193792.tif 000002
【特許請求の範囲】
【請求項１】
表示面を有する表示パネルを収容可能な筺体と、この筺体内に移動可能に設けられる走行ユニットとを備え、前記筺体に表示パネルの挿入方向及び排出方向への走行ユニットの移動案内をするガイド部が設けられると共に、前記走行ユニットには、前記ガイド部に沿って往復移動するための走行機構と、前記筺体から排出された表示パネルを旋回させてその表示面が筺体に対する表示パネルの排出側に向くよう該表示パネルの開放動作を行うパネル旋回機構とが設けられる車載用電子機器であって、
前記走行ユニットに表示パネルを着脱可能にして連結するパネル連結部が設けられ、そのパネル連結部は表示パネルを旋回させるべく前記パネル旋回機構により回動されると共に、前記パネル連結部には表示パネルをロックするため施錠具が設けられ、その施錠具は前記パネル旋回機構によりパネル連結部からの表示パネルの離脱を許容するリリース位置とパネル連結部からの表示パネルの離脱を阻止するロック位置とに切り替えられ、前記施錠具のロック位置からリリース位置への切替動作は前記パネル旋回機構の駆動源を表示パネルの開放旋回時とは逆向きに駆動させることにより行われることを特徴とする車載用電子機器。
【請求項２】
パネル旋回機構は、パネル連結部の回動支点軸上に固定される欠歯ギア及び該欠歯ギアと噛み合う伝動ギアとを有すると共に、施錠具は前記伝動ギアと噛み合うギア部及び表示パネル内に挿入されるロックアームとを有し、該施錠具のロック位置からリリース位置への切替動作時に前記伝動ギアと欠歯ギアとが切り離された状態で前記伝動ギアから施錠具のギア部に動力伝達が行われ、表示パネルの開放旋回時には施錠具がロック位置に保たれたままパネル旋回機構の伝動ギアと欠歯ギアとが噛み合うことを特徴とする請求項１記載の車載用電子機器。
【請求項３】
走行ユニットには、施錠具のリリース位置及びロック位置の切替動作とパネル連結部の回動角とを制御するために、パネル旋回機構の動作量を検知するセンサが設けられることを特徴とする請求項１、又は２記載の車載用電子機器。
【請求項４】
パネル連結部には表示パネルにビジュアル信号を入力する信号出力部と、表示パネルに挿入するガイドピンが設けられる請求項１、２、又は３記載の車載用電子機器。
【請求項５】
請求項１〜４のいずれかに記載の車載用電子機器に信号線で繋がれるパネル装着台であって、表示パネルを起立姿勢にしてその下端部を嵌め込む差込口をもつベース台と、このベース台を車室内の部位に固定するための取付具とを備え、前記ベース台の差込口内には表示パネルと結合して前記信号線を通じて送信されるビジュアル信号を表示パネルに入力する信号出力部が設けられることを特徴とする車載用電子機器に接続するパネル装着台。
【発明の詳細な説明】
【技術分野】
【０００１】
本発明は、車載用電子機器及びその機器に接続するパネル装着台に係わり、特にテレビやカーナビゲーションのディスプレイとして用いられる表示パネルを着脱可能に結合して、表示パネルを車外などに持ち出しできるようにしながら、その盗難を防止できるようにした車載用電子機器及びその機器に接続するパネル装着台に関する。
【背景技術】
【０００２】
近年、自動車による移動に際して目的地までの経路などを表示パネルに表示することのできるカーナビゲーションシステムの普及が顕著であるが、係る表示パネルをテレビモニタやビデオモニタとして兼用することも一般に広く行われている。
【０００３】
その種の表示パネルとして、ＤＶＤなどを駆動するディスクドライブやテレビチューナなどを内蔵した機器本体とコンパクトに一体化した可搬タイプのものがあり、これを車内のダッシュボード上などに配置することが行われているが、係る装置によれば車外での利用も可能という利点がある一方で、車内の美観を損ねたり盗難に合う危険性が高いなどの欠点を有する。
【０００４】
そこで、機器本体をダッシュボード内などに埋め込み、これに取り付けられる表示パネルを可動式として、係る表示パネルが使用に際してダッシュボード内から車室内に起立姿勢に開放されるようにした装置が実用化されている（例えば、特許文献１）。
【０００５】
又、車室内に起立姿勢で開放される表示パネルをＣＤユニットと一体型の操作表示ユニットにして、これをダッシュボード内に設けられる収納ユニットに対して着脱自在としたものも知られる（例えば、特許文献２）。
【０００６】
【特許文献１】特開平８−３１８７９２号公報
【０００７】
【特許文献２】特開平１０−３２９６１６号公報
【発明の開示】
【発明が解決しようとする課題】
【０００８】
然し乍ら、特許文献１によれば表示パネル（モニタユニット）を含む全体のユニットが一体的に組つけられることから、盗難防止効果はあっても全ユニットを一か所に集約して組み立てる必要があることから生産効率が悪く、しかも表示パネルの表示映像を見れる者は運転手と助手席の同乗者に限られる。
【０００９】
この点、特許文献２の装置では操作表示ユニットをダッシュボード内から取り出してＣＤに記録された映像や音楽を後部座席で鑑賞するも可能である。しかし、係る操作表示ユニットの出し入れ、開放動作、並びに着脱操作は手動で行われるものであるから、それら各操作を車両の運転中に行うことは危険を伴い、起立せしめた操作表示ユニットも車両走行時の振動などにより不用意に倒伏してしまう虞れが高く、しかも係る操作表示ユニットはマウントユニットに露出状態で設けられる手動式のロックアームによりロックされるだけなので、操作表示ユニットがダッシュボードから引き出された状態にあるか否かに拘わらず、これを駐車時などに盗まれてしまう虞れがある。
【００１０】
本発明は以上のような事情に鑑みて成されたものであり、その目的は表示パネルを結合する車載用電子機器にして表示パネルの排出、開放動作を自動的に行い、係る表示パネルを必要に応じてダッシュボード内などに固定される筺体の内部から抜き取ることができ、しかも表示パネルを車内に残して車から離れても盗難されず、更にその表示パネルを後部座席用のテレビモニタなどとして利用できるようにすることにある。
【課題を解決するための手段】
【００１１】
本発明は上記の目的を達成するため、表示面を有する表示パネルを収容可能な筺体と、この筺体内に移動可能に設けられる走行ユニットとを備え、前記筺体に表示パネルの挿入方向及び排出方向への走行ユニットの移動案内をするガイド部が設けられると共に、前記走行ユニットには、前記ガイド部に沿って往復移動するための走行機構と、前記筺体から排出された表示パネルを旋回させてその表示面が筺体に対する表示パネルの排出側に向くよう該表示パネルの開放動作を行うパネル旋回機構とが設けられる車載用電子機器であって、
前記走行ユニットに表示パネルを着脱可能にして連結するパネル連結部が設けられ、そのパネル連結部は表示パネルを旋回させるべく前記パネル旋回機構により回動されると共に、前記パネル連結部には表示パネルをロックするため施錠具が設けられ、その施錠具は前記パネル旋回機構によりパネル連結部からの表示パネルの離脱を許容するリリース位置とパネル連結部からの表示パネルの離脱を阻止するロック位置とに切り替えられ、前記施錠具のロック位置からリリース位置への切替動作は前記パネル旋回機構の駆動源を表示パネルの開放旋回時とは逆向きに駆動させることにより行われることを特徴とする。
【００１２】
又、係る電子機器において、パネル旋回機構は、パネル連結部の回動支点軸上に固定される欠歯ギア及び該欠歯ギアと噛み合う伝動ギアとを有すると共に、施錠具は前記伝動ギアと噛み合うギア部及び表示パネル内に挿入されるロックアームとを有し、該施錠具のロック位置からリリース位置への切替動作時に前記伝動ギアと欠歯ギアとが切り離された状態で前記伝動ギアから施錠具のギア部に動力伝達が行われ、表示パネルの開放旋回時には施錠具がロック位置に保たれたままパネル旋回機構の伝動ギアと欠歯ギアとが噛み合うことを特徴とする。
【００１３】
更に、走行ユニットには、施錠具のリリース位置及びロック位置の切替動作とパネル連結部の回動角とを制御するために、パネル旋回機構の動作量を検知するセンサが設けられ、しかもパネル連結部には表示パネルにビジュアル信号を入力する信号出力部と、表示パネルに挿入するガイドピンが設けられることを特徴とする。
【００１４】
又、本発明は以上のような車載用電子機器に信号線で繋がれるパネル装着台であって、表示パネルを起立姿勢にしてその下端部を嵌め込む差込口をもつベース台と、このベース台を車室内の部位に固定するための取付具とを備え、前記ベース台の差込口内には表示パネルと結合して前記信号線を通じて送信されるビジュアル信号を表示パネルに入力する信号出力部が設けられることを特徴とする。
【発明の効果】
【００１５】
本発明に係る車載用電子機器によれば、走行ユニットに設けられる走行機構とパネル旋回機構の駆動により表示パネルの排出、開放動作を自動的に行うことができ、しかも走行ユニットには表示パネルを着脱可能にして連結するパネル連結部が設けられることから、駐車時などに表示パネルを車外に持ち出して盗難防止を図ることができ、更に表示パネルを駆動することのできる互換機を用いて表示パネルを様々な場所でテレビモニタなどとして利用できるために利便性が大幅に向上する。
【００１６】
又、走行ユニットに設けられるパネル旋回機構の作動により、パネル連結部からの表示パネルの離脱が阻止されることから、表示パネルをパネル連結部から離脱せずして車から離れた場合でも、表示パネルの盗難を防止する効果がある。
【００１７】
更に、表示パネルの開放旋回時にはパネル連結部に設けた施錠具がロック位置にあって表示パネルの離脱が阻止されることから、表示パネルの旋回中にこれがパネル連結部から不用意に離脱して脱落してしまう事がなく、しかもパネル旋回機構の動作量をセンサにより検知してパネル連結部の回動角が制御されることから、これに連結する表示パネルの姿勢を調整して表示面の視認性を上げることができ、係るセンサの働きで施錠具のリリース位置とロック位置の切替動作も確実に制御することができる。
【００１８】
又、パネル連結部には表示パネルにビジュアル信号を入力する信号出力部と、表示パネル内に挿入するガイドピンが設けられることから、パネル連結部に連結した表示パネルを駆動できることは勿論、ガイドピンにより表示パネルを正規位置に正しく連結することができる。
【００１９】
一方、パネル連結部から離脱した表示パネルはパネル装着台に結合して駆動でき、しかも係るパネル装着台は取付具により車両の部位に固定されるため、これを前部座席の背面に取り付けてカーナビゲーションの非使用時などにおいて表示パネルを後部座席用のテレビモニタなどとして利用することができる。
【発明を実施するための最良の形態】
【００２０】
以下、本発明を図面に基づいて詳しく説明する。図１は係る車載用電子機器の使用態様を示した概略図であり、(Ａ)は表示パネルの格納状態、(Ｂ)は表示パネルの開放状態を示す。
【００２１】
１は液晶パネルや有機ＥＬといった画像表示素子から成る表示面１Ａを有したフラット状の表示パネル（パネル状のディスプレイ装置）、２はその表示パネルを駆動する機器本体（本例においてＤＶＤなどのディスクを駆動するディスク再生装置）、３は表示パネルや機器本体を収容する筺体であり、その筺体３内には表示パネル１の排出／挿入を行うための走行ユニット４が前後方向（図１の左右方向）に往復移動可能に設けられる。特に、走行ユニット４は、ユニット台５の一端部に表示パネル１を連結するためのパネル連結部６を回動可能に設けて構成され、そのパネル連結部６はフレキシブル配線７を介して機器本体２と接続される。
【００２２】
そして、機器本体２内で再生駆動されるディスクの記録情報（地図や映像などのビジュアル信号）がフレキシブル配線７からパネル連結部６を通じて表示パネル１に入力され、これにより表示パネルの表示面１Ａに映像表示が行われる。
【００２３】
尚、筺体３は表示パネル１を出し入れするための開口部３Ａを有し、その開口部３Ａを車室内に向けて車両のダッシュボード８内に固定されると共に、表示パネル１は図１(Ａ)のようにその表示面１Ａを下向きにした倒伏状態で筺体３の内部に収容される。この状態で、表示面１Ａに交差する方向の表示パネルの一端面は開口部３Ａから露出されるが、その一端面は操作スイッチ類をもつ操作部１Ｂとされ、その操作により表示パネル１を開口部３Ａから筺体３の外部に排出したり、これを筺体３内に引き込んで収容することができるようになっている。このような操作は、操作部１Ｂのほか、機器本体の操作部１Ｂ２で行うようにしてもよい。
【００２４】
特に、操作部１Ｂでは図１(Ｂ)の想像線で示されるよう表示パネル１が倒伏姿勢のまま排出するだけの場合と、図１(Ｂ)の実線で示されるよう表示パネル１が倒伏状態から起立姿勢に立ち上がって開放する場合とを選択できるようになっており、倒伏姿勢に排出された表示パネル１はパネル連結部６からの離脱が許容され、起立姿勢の表示パネル１はその表示面１Ａが車室内側（筺体３に対する表示パネル１の排出側）に向いて係る表示面１Ａを運転席等から視認可能とされる。
【００２５】
尚、表示パネル１をパネル連結部６から離脱可能とする位置は、図１(Ｂ)のように、表示パネル１の全体がダッシュボードの外側に排出された位置に限らず、倒伏姿勢における表示パネル１の端部からダッシュボード８までの距離が表示パネル１を手で掴めるだけの距離ＨＳになる位置を離脱可能位置としてもよい（図１(Ｃ)参照）。例えば、距離ＨＳを５０ｍｍと設定することができる。表示パネル１を離脱する場合は、図１(Ｃ)の状態から離脱ボタンを押し、表示パネル１のロックを解除してから取り外す。このロック機構の詳細については後述する。
【００２６】
又、表示パネル１が起立姿勢に開放された状態では、パネル連結部６からの表示パネル１の離脱が阻止されると共に、表示パネル１のアングル（回動角）を水平面に対する任意の角度範囲で調整可能とされる。この角度は例えば６０〜１０５度とする。尚、倒伏姿勢での表示パネル１の排出／挿入動作は筺体３内における走行ユニット４の往復移動により行われるが、筺体３内の両側には表示パネル１の挿入方向及び排出方向に沿って走行ユニット４の移動案内を行う後述のガイド部が設けられる。
【００２７】
図２は表示パネルの表示面側を主として示す斜視図、図３はその裏面側を示す斜視図であり、図４には表示パネルの一端面を示す。先ず、図２において、表示パネルの一端操作部１Ｂには主電源スイッチ１１、開閉操作用の操作スイッチ１２、開放時のアングル調整を行うための操作スイッチ１３Ａ，１３Ｂ、排出挿入操作用の操作スイッチ１４、及び画面表示サイズ切換スイッチ１５が設けられる。又、操作部１Ｂに直交する両側面にはその長さ方向に沿ってガイド溝１６が形成される。
【００２８】
図３において、操作部１Ｂに対向する一端面（本例において下端面）は上記のパネル連結部に連結するための結合部１Ｃとされ、この結合部１Ｃは表示パネル１の裏面側を部分的に切り欠いて凹状の受口１７を形成し、その受口１７内に図３及び図４に示されるようビジュアル信号を受け取るための信号入力部１８（入力端子）ほか、位置決め用のピン差込口１９、ロッキング用孔２０、及びピッキング用孔２１を設けて構成される。
【００２９】
図５は係る表示パネルの内部構造を示す。この図で明らかなように、表示パネル１には結合部１Ｃ側においてロック機構２２が内蔵される。係るロック機構２２は、図４のピッキング用孔２１に対応して傾斜状のロック操作面２３Ａを形成するスライド板２３を有する。そのスライド板２３は表示パネル１の幅方向に摺動可能にして配され、その一端に接続するコイルバネ２４により非ロック側の一方向（図５において右方向）に付勢されている。
【００３０】
図６は係るロック機構を示す拡大平面図であり、図７にはスライド板を取り外した状態を示す。図６から明らかなように、スライド板２３には可動用の長孔２３Ｂと下向き（紙面の奥側方向）に突出するピン２３Ｃとが設けられる。一方、図７から明らかなように、このロック機構２２には、スライド板のピン２３Ｃに対応するトリガーレバー２５が回転自在に取り付けられ、その近傍には板バネから成るロックレバー２６が設けられる。トリガーレバー２５の回転軸には捩りバネ２７が取り付けられ、これによりトリガーレバー２５が図７の時計方向に非ロック時には付勢されている。そして、係るトリガーレバー２５がスライド板のピン２３Ｃの摺動による押圧で捩りバネ２７の弾力に抗して図７の反時計方向に回転されたとき（ロック時）、その先端部がロックレバー２６に接触して該ロックレバーを固定するようにしてある。
【００３１】
ロックレバー２６はその一端部を折り曲げて成るロック用の凸部２６Ａを有し、その凸部２６Ａを形成する一端側が自由端としてロッキング用孔２０内に配される。而して、ロッキング用孔２０にパネル連結部の部位を差し込むことにより、この部位にロックレバーの凸部２６Ａが係合し、その状態でトリガーレバー２５をロックレバー２６に接触せしめてロックレバー２６を固定すると、パネル連結部からの表示パネルの離脱が阻止され、またトリガーレバー２５をロックレバー２６から離間せしめてロックレバー２６を解放したときには、ロックレバー２６の撓み変形が許容されてパネル連結部６から表示パネルを離脱させることができる。
【００３２】
次に、筺体の構造を説明する。図８は筺体の正面概略図であり、図９及び図１０にはそれぞれ図８におけるＸ−Ｘ断面、Ｙ−Ｙ断面を示す。これらの図で明らかなように、筺体３の内部両側には走行ユニット４の移動案内を行う上記のガイド部３１（直線状の突条），３２（Ｌ形のガイドレール）が設けられる。又、筺体３の内部天井面には走行ユニットがガイド部３１，３２に沿って往復移動するためのラック３３が設けられると共に、ガイド部３２の近傍にはこれに沿って表示パネル１を案内するパネルガイド３４が突出して設けられ、そのパネルガイド３４に図２〜図４に示した表示パネルのガイド溝１６が摺動自在にして嵌合するようにしてある。更に、図１０から明らかなように、ガイド部３２の一端は筺体３の開口部３Ａから張り出しており、これによりパネル連結部６を開口部３Ａから排出したときでも所定の排出量において走行ユニットのユニット台５をガイド部３２で支持できるようになっている。
【００３３】
次に、走行ユニットの構造を説明する。図１１は走行ユニットの表側を示す平面図、図１２はその裏側を示す斜視図、図１３はパネル連結部を取り外した走行ユニットの表側を示す斜視図である。図１１及び図１２から明らかなように、走行ユニット４は上記のユニット台５とこれに取り付けられるパネル連結部６から構成される。
【００３４】
このうち、パネル連結部６には、表示パネル１の信号入力部１８に結合する信号出力部６１（出力端子）、ピン差込口１９に挿入する左右一対のガイドピン６２、ロッキング用孔２０に挿入する左右一対の掛金６３、及びピッキング用孔２１に挿入するロックアーム６４Ａを備えた施錠具６４が設けられる。尚、信号出力部６１には図１に示したフレキシブル配線７が接続される。又、掛金６３にはロック孔６３Ａが形成され、そのロック孔６３Ａが図７に示したロックレバーの凸部２６Ａと係合するようにしてある。
【００３５】
一方、ユニット台５には、図８に示した筺体のガイド部３１，３２に係合するガイド受５１，５２と左右一対のブラケット５３が形成される。そして、パネル連結部６はその両側に突出する回動支点軸６５がブラケット５３により回転自在に支持され、その回動支点軸６５上に上記の施錠具６４ほか後述する欠歯ギアが設けられる。
【００３６】
又、図１３に示すように、走行ユニット（特にそのユニット台５）には筺体内に設けられる上記のガイド部３１，３２に沿って往復移動を行うための走行機構７０と、パネル連結部に連結された表示パネルを旋回させるためのパネル旋回機構８０とが設けられる。
【００３７】
図１３及び図１４に示すように、走行機構７０は走行用駆動源７１、その駆動軸に取り付けられるウォーム７２、該ウォームと噛み合うウォームホイール７３、該ウォームホイールと一体のウォーム部７３Ａと噛み合うヘリカルギア７４、該ヘリカルギアと一体の出力ギア部７４Ａと噛み合うギア７５、及び回転軸７６の両側にあって一方がギア７５と噛み合うピニオン７７から構成され、そのピニオン７７が図８などに示した筺体内のラック３３と噛み合うようにしてある。このうち、ギア部７４Ａには回転量検出ギア７８が噛み合わされ、係るギア７８の回転量がセンサ７９により検知され、この回転量を基に駆動源７１の停止制御を行う構成とされる。
【００３８】
一方、パネル旋回機構８０は、図１３及び図１５に示すように旋回用駆動源８１、その駆動軸に取り付けられるウォーム８２、該ウォームと噛み合うウォームホイール８３、該ウォームホイールと一体のギア部８３Ａと噛み合うギア８４、該ギアと一体のウォーム部８４Ａと噛み合うヘリカルギア８５、該ヘリカルギアと一体のギア部８５Ａと噛み合うギア８６、該ギアの小径ギア部８６Ａと噛み合う伝動ギア８７、及び該伝動ギアと噛み合う上記の欠歯ギア８８で構成され、その欠歯ギア８８が回動支点軸６５を支点としてパネル連結部６に固定されると共に、その他の歯車列８２〜８７はユニット台５に配される。
【００３９】
このうち、ギア８６には回転量検出ギア８９が噛み合わされ、その回転量（すなわちパネル旋回機構の動作量）がセンサＳにより検知されるようになっている。そして、係るセンサＳの検出信号に基づいて駆動源８１の駆動制御が行われ、これによりパネル連結部６の回動量（表示パネルの旋回量）と、上記施錠具６４の後述するリリース位置及びロック位置の切替動作とが制御されるようにしてある。
【００４０】
図１６は施錠具の斜視図、図１７は欠歯ギアの斜視図であり、図１８には施錠具と欠歯ギアの組付状態を示す。図１６のように、施錠具６４は上記のロックアーム６４Ａほか、上記回動支点軸６５を挿入する取付用孔６４Ｂを中心として円弧状のギア部６４Ｃを有する。又、ロックアーム６４Ａは取付用孔６４Ｂの半径方向に突出すると共に、施錠具６４の片側面には突起６４Ｄが設けられ、その逆側面にはバネ止め６４Ｅが突設される。
【００４１】
一方、図１７のように、欠歯ギア８８も上記の回動支点軸６５を挿入する取付用孔８８Ａを中心として円弧状のギア部８８Ｂを形成する。又、欠歯ギア８８の片側面にはバネ止め８８Ｃと取付用孔８８Ａを中心とする円弧溝８８Ｄが形成され、その円弧溝８８Ｄに施錠具の突起６４Ｄが嵌め込まれるようにしてある。
【００４２】
そして、係る施錠具６４と欠歯ギア８８は、図１８のように同軸（パネル連結部の回動支点軸６５）上に隣り合わせに配置される。このうち、欠歯ギア８８はパネル連結部６の側面に固定され、係るパネル連結部６は回動支点軸６５上にあって一端が欠歯ギアのバネ止め８８Ｃに係止される捩りバネＳＰ１により、図１８の反時計方向（表示パネルの倒伏方向）に付勢される。一方、施錠具６４は回動支点軸６５に設けられる捩りバネＳＰ２により欠歯ギア８８とは逆向きの図１８に示す時計方向に付勢され、欠歯ギア８８との相対位置が実線で表されるロック位置に保たれるようになっている。尚、捩りバネＳＰ２はその一端が施錠具のバネ止め６４Ｅに係止され、他端が欠歯ギアに設けた穴８８Ｅに係止される。
【００４３】
ここに、表示パネルの開放動作前では、欠歯ギアのギア部８８Ｂに近接して施錠具のギア部６４Ｃと伝動ギア８７が噛み合い、この状態で駆動源８１（図１３参照）を駆動して伝動ギア８７を図１８の反時計方向に回転させると、施錠具６４が時計方向に回転し、その直後に施錠具の突起６４Ｄが欠歯ギアの円弧溝８８Ｄの一端を加圧することにより伝動ギア８７との噛み合いが施錠具６４から欠歯ギア８８に切り替わる。このとき、捩りバネＳＰ２の作用で施錠具６４がパネル連結部６に対してロック位置に保たれたまま、欠歯ギア８８が時計方向に回転される。このため、欠歯ギア８８と一体のパネル連結部６も同方向に回動し、これによりパネル連結部６に結合する表示パネルも回動支点軸６５を中心にして図１８の時計方向に旋回してその開放動作が行われるようになる。
【００４４】
一方、上記のような表示パネルの開放動作とは逆向きに駆動源８１（図１３参照）を駆動して伝動ギア８７を図１８の時計方向に回転させると、伝動ギア８７と欠歯ギア８８が切り離された状態で、伝動ギア８７からこれと噛み合うギア部６４Ｃをもつ施錠具６４に動力伝達が行われる。このとき、欠歯ギア８８と一体のパネル連結部６は図示せぬストッパにより不作動状態に保たれ、施錠具６４（特にそのロックアーム６４Ａ）のみが実線で表されるロック位置から想像線で表されるリリース位置に回動される。
【００４５】
尚、施錠具６４のロックアーム６４Ａは上記のように表示パネルのピッキング用孔２１に挿入され、図１８の実線で表されるロック位置では係るロックアーム６４Ａが図５に示したスライド板のロック操作面２３Ａを押圧し、スライド板２３をバネ２４の弾力に抗してロック側（図５の左方向）に摺動させるようになっている。このため、表示パネルのロックレバー２６とパネル連結部の掛金６３とを係合状態に保ってパネル連結部６からの表示パネル１の離脱を阻止することができる。
【００４６】
又、施錠具６４が図１８の想像線で表されるリリース位置にあるとき、そのロックアーム６４Ａは図５に示したスライド板のロック操作面２３Ａから離間するのであり、このためスライド板２３がバネ２４の作用で非ロック側（図５の右方向）に復帰されてパネル連結部６からの表示パネル１の離脱が許容される。
【００４７】
このように、施錠具６４は表示パネル内のロック機構２２を作動させる働きをするが、ロックアーム６４Ａを鉤形にしてその先端がロック位置において表示パネル内の部位に係止するようにしてもよく、この場合には表示パネル内のロック機構２２やパネル連結部の掛金６３などを省略して装置全体を簡易構造にできる。
【００４８】
又、上記の記載から明らかなように、パネル連結部６の回動による表示パネルの開閉動作時には施錠具６４がロック位置にあって表示パネルの離脱が阻止される一方、表示パネルの開放動作前には施錠具６４のロック位置からリリース位置への切り替えが可能とされるが、施錠具６４のリリース位置への切替動作は表示パネル１の筺体３からの排出動作が完了した時点で行われるように制限することが好ましく、これにより走行ユニット４の往復移動時に表示パネル１が不用意に離脱する危険性を防止することができる。
【００４９】
更に、表示パネル１の排出動作が完了してから一定時間経過後も表示パネル１がパネル連結部６から抜き取られなかった場合、施錠具６４をロック位置に戻して表示パネル１の筺体３内への引き込み挿入が行われるようにする事が好ましく、これによれば車両の走行振動などによる表示パネル１の脱落、並びに表示パネル１を抜き忘れたまま車両から離れた場合の盗難を防止する効果がある。
【００５０】
図１９はパネル連結部から表示パネル１を離脱した状態であるが、このとき筺体の開口部３Ａが開放状態のままであると、内部に塵埃などが侵入して各駆動機構や電子機器類に悪影響を及ぼすことになる。このため、開口部３Ａの付近において筺体３内に図２０のようなフラップ板３５を設け、表示パネル１が筺体３内に存在しない状態で係るフラップ板３５が閉じられるようにすることが好ましい。
【００５１】
又、本発明によれば表示パネル１が着脱可能であるところ、防犯効果が得られるほか、この表示パネル１を駆動させ得る互換機を用意することにより上記のような車載用電子機器の設置場所以外でも表示パネル１が利用可能となり、利便性を一層向上させることができる。
【００５２】
このため、本発明は図２１に例示するようなパネル装着台９０を提供する。係るパネル装着台９０は車載用電子機器の機器本体２に信号線１００で繋がれるベース台９１と、このベース台を車室内の部位に固定するための取付具９２から構成される。本例において、取付具９２を前部座席を構成するヘッドレストＨｒの支柱に取り付け得るアーム部９２Ａと、ベース台を載せる着座部９２Ｂとで形成し、その着座部９２Ｂに載せられたベース台９１を締付ネジ９３にて固定できるようにしてある。
【００５３】
一方、図２１及び図２２から明らかなように、ベース台９１はその上部に表示パネル１の下端部（結合部）を嵌め込む差込口９１Ａを形成する。そして、その差込口９１Ａに嵌め込まれた表示パネル１は図２３に示すよう表示面１Ａを露出した状態で起立姿勢に固定されるようになっている。
【００５４】
図２４はベース台の内部構造を示す透視図である。この図で明らかなように、差込口９１Ａ内には上記のパネル連結部６と同様に、図３及び図４に示した表示パネルの信号入力部１８に結合する信号出力部９１Ｂ、ピン差込口１９に挿入する左右一対のガイドピン９１Ｃ、ロッキング用孔２０に挿入する左右一対の掛金９１Ｄ、及びピッキング用孔２１に挿入するピン９１Ｅが設けられる。又、図２４において、９１Ｆは図２１の締付ネジ９３をねじ込むためのネジ孔である。
【００５５】
尚、信号出力部９１Ｂには信号線１００の一端が接続される。又、ピン９１Ｅはベース台９１の表面に設けられる切替レバー９１Ｇの操作により作動して表示パネル１のロック及びロック解除を行うことができる。この構成に限らず、差込口９１Ａには少なくとも信号出力部９１Ｂが設けられていればよく、これにより機器本体２から信号線１００を通じて送信されるビジュアル信号を表示パネル１に入力して映像表示を行うことができる。
【００５６】
そして、以上のようなパネル装着台９０によれば、車両の後部座席に居ながら機器本体２で駆動されるディスクの記録情報（例えばＤＶＤに記録された映画）やテレビ放送を鑑賞することができる。テレビ放送を受信するには図２５のようにテレビアンテナ１０１やこれに接続するテレビチューナ１０２などを車両に搭載し、そのチューナ１０２と機器本体２をコントローラ１０３を介して接続し、その出力信号（ビジュアル信号）が機器本体２からパネル連結部６やパネル装着台９０に入力されるようにすればよい。尚、コントローラ１０３は車両のバッテリ１０４や図示せぬスピーカにも接続されるが、そのコントローラ１０３やテレビチューナ１０２などを機器本体２に内蔵することもできる。
【００５７】
以上、本発明について説明したが、その実施例は上述の構成及び手順に限定されるものではなく、本発明の要旨を逸脱しない範囲において変更を加えてもよいことは言うまでもない。例えば、表示パネルを２つ用いて機器本体２とパネル装着台９０の両方に装着してもよい。この場合、パネル装着台９０を上述のように前部座席の後ろ側に配置すれば、前部座席と後部座席との両方で同時に表示画面を見ることが可能になる。
【００５８】
又、機器本体２に複数の独立した出力系を備えれば、２つの表示パネルのそれぞれの画面に独立した情報を表示することができる。例えば、前部座席から機器本体２に装着した表示パネルに表示されるテレビ映像を観賞し、後部座席からパネル装着台９０に装着した表示パネルに表示されるＤＶＤ映像を観賞することができる。
【００５９】
更に、機器本体２に接続するパネル装着台９０は単数に限るものではなく、複数のパネル装着台を接続する構成にしてもよい。そして、複数の表示パネルを複数のパネル装着台の任意の台に装着することもできる。これにより、例えば観光バスのような多数の座席がある車両においても、座席毎にパネル装着台を設置し、これに表示パネルを装着することで、乗客は間近で表示を見ることができる。この場合、機器本体２に所定数の独立出力チャネルを備えれば、各表示パネルで所望の映像等を独立して観賞することができる。
【００６０】
又、表示パネルの表示面をタッチパネル方式とし、この機器の操作をタッチパネルで行う構成にしてもよい。この場合には、パネル装着台９０と機器本体２との接続は双方向となる。尚、車両に複数の表示パネルを搭載した場合、任意の表示パネルから他の表示パネルに表示される画像等を選択するなどの制御を行えるようにすることができる。
【図面の簡単な説明】
【００６１】
【図１】本発明に係る車載用電子機器の使用態様を示す説明図
【図２】表示パネルの表面側を示す斜視図
【図３】表示パネルの裏面側を示す斜視図
【図４】表示パネルの底面図
【図５】表示パネルの内部構造を示す斜視図
【図６】表示パネルに内蔵されるロック機構を示す説明図
【図７】ロック機構の作動状態を示す説明図
【図８】筺体の正面概略図
【図９】図８のＸ−Ｘ断面図
【図１０】図８のＹ−Ｙ断面図
【図１１】パネル連結部から表示パネルを離脱した状態を示す平面図
【図１２】走行ユニットの裏側を示す斜視図
【図１３】パネル連結部を省略した走行ユニットの表側を示す斜視図
【図１４】走行機構を示す説明図
【図１５】パネル旋回機構を示す説明図
【図１６】施錠具の斜視図
【図１７】欠歯ギアの斜視図
【図１８】施錠具と欠歯ギアの組図
【図１９】表示パネルの離脱状態を示す斜視図
【図２０】表示パネルの離脱状態を示す斜視図
【図２１】パネル装着台を示す斜視図
【図２２】パネル装着台を構成するベース台の斜視図
【図２３】ベース台に表示パネルを装着した状態を示す正面図
【図２４】ベース台の内部構造を示す透視図
【図２５】本発明に係る機器の配置例を示す車両の透視図
【符号の説明】
【００６２】
１  表示パネル
１Ａ  表示面
２  機器本体
３  筺体
４  走行ユニット
５  ユニット台
６  パネル連結部
３１，３２  ガイド部
３３  ラック
６１  信号出力部
６２  ガイドピン
６３  掛金
６４  施錠具
６５  パネル連結部の回動支点軸
６４Ａ  ロックアーム
７０  走行機構
８０  パネル旋回機構
８１  駆動源
８７  伝動ギア
８８  欠歯ギア
９０  パネル装着台
９１  ベース台
９１Ａ  差込口
９１Ｂ  信号出力部
９２  取付具
１００  信号線
【図１】
2005193792.tif 000003
【図２】
2005193792.tif 000004
【図３】
2005193792.tif 000005
【図４】
2005193792.tif 000006
【図５】
2005193792.tif 000007
【図６】
2005193792.tif 000008
【図７】
2005193792.tif 000009
【図８】
2005193792.tif 000010
【図９】
2005193792.tif 000011
【図１０】
2005193792.tif 000012
【図１１】
2005193792.tif 000013
【図１２】
2005193792.tif 000014
【図１３】
2005193792.tif 000015
【図１４】
2005193792.tif 000016
【図１５】
2005193792.tif 000017
【図１６】
2005193792.tif 000018
【図１７】
2005193792.tif 000019
【図１８】
2005193792.tif 000020
【図１９】
2005193792.tif 000021
【図２０】
2005193792.tif 000022
【図２１】
2005193792.tif 000023
【図２２】
2005193792.tif 000024
【図２３】
2005193792.tif 000025
【図２４】
2005193792.tif 000026
【図２５】
2005193792.tif 000027